(57)【特許請求の範囲】
【請求項１】
構築物の壁に形成されている開口部に嵌め込まれて取り付けられる外枠と、この外枠に嵌入し左右両側部の上端近傍部において水平軸芯の周りで回動可能に外枠に軸支された内枠と、この内枠の開口を閉じるように内枠に取り付けられた蓋板とからなり、外枠で囲まれる開口を内枠で閉じた状態を保持するためロック部を備え、内枠を外枠から突出する方向に前記軸の周りで回動するように付勢する弾性体を備えてなり、
前記外枠、内枠ともに断面形状がほぼＴ状の型材を組み合わせて正方形や長方形などの矩形に作られていて、外枠の型材および内枠の型材ともに室内側に向く−状の板部と、この板部の幅方向中央から板部に対して直角に突設された板部とから構成されており、前記内枠の上端水平部における前記−状の板部から直角に突出する板部の上面に、この板部から裏面側に突出し裏面側に向って高くなるように傾斜する上端が外枠の上端水平部における−状の板部から直角に突出する板部の後端部下側に当接する前記弾性体が取り付けられていることを特徴とする壁点検口。
【発明の詳細な説明】
【技術分野】
【０００１】
本発明は、建築物や船舶などの各種構築物の壁に設けられる壁点検口に関するものである。
【背景技術】
【０００２】
従来のこの種壁点検口としては例えば特許文献１に開示されているように、構築物の壁体に開口された開口部に取り付けられる外枠体と、その外枠体の開口部にヒンジ軸を有するヒンジ手段によって開閉可能に組み付けられた内枠体とを備え、内枠体に開口部を閉じる蓋板を取り付けてなるものが知られている。
【先行技術文献】
【特許文献】
【０００３】
【特許文献１】特許第３３７８４８８号公報
【発明の概要】
【発明が解決しようとする課題】
【０００４】
上記従来の壁点検口の構成、つまり外枠、内枠からなる壁点検口の構成を採用し、外枠と内枠を結合させるヒンジ軸を外枠および内枠の上端に位置せしめ、内枠を開閉可能とし、外枠および内枠の下端で内枠を閉じた状態を保持するロック手段を設けて壁点検口を構成した場合、内枠を開くためにロック手段を解除したとき、内枠は自重により外枠の中に収まった状態であり、内枠を手前に開くためには内枠に掴み片を突設しなければならず、内枠から掴み片が突設していると、内枠を開いて壁点検口の中に入るなどして点検作業を行なうとき掴み片の突出部が衣服や身体に引っ掛かるなどの危険性があるという問題が生じる。
【０００５】
本発明の目的は、このような課題を解決するものであり、内枠を開くために内枠に掴み片を設ける必要なく、点検作業を行なうときに突出部がないために衣服や身体に引っ掛かるなどの危険性のない壁点検口を提供することにある。
【課題を解決するための手段】
【０００６】
本発明の請求項１に記載の壁点検口は、構築物の壁に形成されている開口部に嵌め込まれて取り付けられる外枠と、この外枠に嵌入し左右両側部の上端近傍部において水平軸芯の周りで回動可能に外枠に軸支された内枠と、この内枠の開口を閉じるように内枠に取り付けられた蓋板とからなり、外枠で囲まれる開口を内枠で閉じた状態を保持するためロック部を備え、内枠を外枠から突出する方向に前記軸の周りで回動するように付勢する弾性体を備えてなり、
前記外枠、内枠ともに断面形状がほぼＴ状の型材を組み合わせて正方形や長方形などの矩形に作られていて、外枠の型材および内枠の型材ともに室内側に向く−状の板部と、この板部の幅方向中央から板部に対して直角に突設された板部とから構成されており、前記内枠の上端水平部における前記−状の板部から直角に突出する板部の上面に、この板部から裏面側に突出し裏面側に向って高くなるように傾斜する上端が外枠の上端水平部における−状の板部から直角に突出する板部の後端部下側に当接する前記弾性体が取り付けられていることを特徴とする。
【発明の効果】
【０００８】
以上のように、本発明の壁点検口は、内枠が外枠の下端から僅かに突出する方向に回動するように弾性体により付勢されているので、構築物の壁に形成されている開口部に嵌め込まれて取り付けられている壁点検口を開く場合は、ロック部の係止を解除することにより、外枠に対する内枠のロックが解除され、この解除と同時に内枠は前記弾性体により外枠から下端側ほど大きく突出した状態となるため、かかる状態で内枠を持ち上げて容易に開くことができる。これにより、内枠を開くために内枠に掴み片を設ける必要なく、点検作業を行なうときに突出部がないために衣服や身体に引っ掛かるなどの危険性のない壁点検口を提供することができる。
【図面の簡単な説明】
【０００９】
【図１】本発明の一実施の形態における壁点検口の分解斜視図である。
【図２】同壁点検口の内枠が閉じた状態における正面図である。
【図３】同壁点検口の内枠が閉じた状態における横断面図である。
【図４】同壁点検口の内枠が閉じた状態における縦断面図である。
【図５】同壁点検口の内枠のロックが解除されている状態における縦断面図である。
【発明を実施するための形態】
【００１０】
以下、本発明の一実施の形態を、図１〜図５を用いて具体的に説明する。
図において、例えば建築物の室内の壁１に形成されている開口部２に嵌め込まれて取り付けられる壁点検口３は、アルミニウムを材料として作られた外枠４と、この外枠４に嵌入し同じくアルミニウムを材料として作られた内枠５と、この内枠５の開口を閉じるように内枠５に取り付けられた蓋板６とからなり、前記内枠５は左右両側部の上端近傍部において外側に水平に突出する軸７を外枠４の左右両側部の上端近傍部内側に設けた軸受け部材８に支持することにより、水平軸芯の周りで回動して外枠４に対して開閉できるようになっている。
【００１１】
前記外枠４は断面形状がほぼＴ状の型材を組み合わせて正方形や長方形などの矩形に作られ、また前記内枠５も断面形状がほぼＴ状の型材を組み合わせて正方形や長方形などの矩形に作られている。つまり、外枠４の型材および内枠５の型材ともに室内側に向く−状の板部４ａおよび５ａと、この板部４ａおよび５ａの幅方向中央から板部４ａおよび５ａに対して直角に突設された板部４ｂおよび５ｂとから構成されている。
【００１２】
このように外枠４と内枠５とからなる壁点検口３は、外枠４の板部４ａで囲まれる開口を内枠５で閉じるように構成され、外枠４の板部４ａで囲まれる開口を内枠５で閉じた状態を保持するために内枠５の下端水平部における前記板部５ａにコインロック部９が設けられ、板部５ａの表面側よりこのコインロック部９の溝９ａにコインなどを係合させて軸部９ｂを回すことにより板部５ａの裏面側に位置する係止片９ｃを外枠４の板部４ａの裏面に係止させるように構成されている。なお、外枠４の下端水平部における板部４ａの上端縁には裏面側に突出する段差４ｃが形成されており、内枠５が閉じられたとき、内枠５の下端水平部における板部５ａの下端縁が段差４ｃに当接するように構成されている。
【００１３】
ところで、本実施の形態では前記内枠５の上端水平部における前記板部５ｂの上面の左右２箇所に、板部５ｂから裏面側に突出し裏面側に向って高くなるように傾斜する上端が外枠４の上端水平部における前記板部４ｂの後端部下側に当接する板ばねからなる弾性体１０がビス１１止めにより取り付けられ、内枠５が閉じた状態においても内枠５の下端が外枠４の下端から僅かに突出する方向に内枠５を付勢するように構成されている。
【００１４】
かかる構成の壁点検口３は建築物の室内の壁１に形成されている開口部２に嵌め込まれて取り付けられるのであるが、具体的には外枠４の前記板部４ａの外側に向く幅方向のほぼ半分の裏面が開口部２周りの壁１の表面に当接するとともに、前記板部４ｂを壁１に形成されている開口部２に嵌め込み、壁１の裏側に位置する桟材１２に対し板部４ｂをビス１３止めしている。そして、この外枠４に対し内枠５は前記軸７を外枠４の左右両側部の軸受け部材８に支持させて開閉できるようになっている。
【００１５】
上記構成において、建築物の室内の壁１に形成されている開口部２に嵌め込まれて取り付けられている壁点検口３を開く場合は、前記コインロック部９の軸９ｂを回して外枠４の板部４ａの裏面に対する係止片９ｃの係止を解除することにより、外枠４に対する内枠５のロックが解除される。この解除と同時に内枠５は前記弾性体１０により外枠４から僅かに突出する方向に前記軸７の周りで回動し、かかる状態で内枠５を持ち上げて開くことができる。
【００１６】
なお、図面に示す実施の形態では、前記弾性体１０は板ばねにより作られているが、板ばねと同様の作用を行なうものであれば合成樹脂製あるいは線材などからなる弾性体であっても良い。
【産業上の利用可能性】
【００１７】
本発明の壁点検口は、建築物や船舶などの各種構築物の壁に設けられる壁点検口である。
【符号の説明】
【００１８】
１            壁
２            開口部
３            壁点検口
４            外枠
４ａ，４ｂ    板部
４ｃ          段差
５            内枠
５ａ，５ｂ    板部
６            蓋板
７            軸
８            軸受け部
９            コインロック部
９ａ          溝
９ｂ          軸部
９ｃ          係止片
１０            弾性体
１１            ビス
１２            桟材
１３            ビス
【図１】
0005511243.tif 000002
【図２】
0005511243.tif 000003
【図３】
0005511243.tif 000004
【図４】
0005511243.tif 000005
【図５】
0005511243.tif 000006